(57)【要約】【課題】使用者や傍の者が不快感を感じることがなく、さらに捕獲効率が悪くなることもなく、しかも害虫を粘着捕獲して防除する使用以外にも、多目的に使用できる害虫防除器具を提供する。【解決手段】基体１の開孔２から、薬剤を付着させた帯状体３を支持部材４に支持すると共に、順次繰り出し、繰り入れ自在に設けたものとしている。薬剤は、害虫捕獲用粘着剤、殺虫剤、忌避剤、昆虫成長抑制剤、吸血阻害剤、殺卵剤、フィトチッドとすることができる。帯状体３は、ロール状に巻かれたものとしている。さらに、帯状体３は、繰り出した状態で加熱するようにしたものとしたり、繰り出した状態で風を当てるようにしたものとしている。【選択図】　　　　図１
2004065140.tif 000002
【特許請求の範囲】
【請求項１】
基体（１）の開孔（２）から、薬剤を付着させた帯状体（３）を支持部材（４）に支持すると共に、順次繰り出し、繰り入れ自在に設けたことを特徴とする害虫防除器具。
【請求項２】
前記薬剤を、害虫捕獲用粘着剤、殺虫剤、忌避剤、昆虫成長抑制剤、吸血阻害剤、殺卵剤、フィトンチッドとしたことを特徴とする請求項１記載の害虫防除器具。
【請求項３】
前記帯状体（３）が、ロール状に巻かれたものであることを特徴とする請求項１記載の害虫防除器具。
【請求項４】
前記帯状体（３）を、繰り出した状態で加熱するようにしたことを特徴とする請求項１記載の害虫防除器具。
【請求項５】
前記帯状体（３）を、繰り出した状態で風を当てるようにしたことを特徴とする請求項１記載の害虫防除器具。
【発明の詳細な説明】
【０００１】
【発明の属する技術分野】
この発明は、ハエ、蚊などの害虫の防除器具に関するものである。
【０００２】
【従来の技術】
従来、害虫防除器具として、両面に粘着剤を塗布したリボンを螺旋状に長く引き出した状態として、釣り下げるようにした、いわゆる「ハエ取りリボン」と称されるものが存在する。
【０００３】
この「ハエ取りリボン」は、主に台所などハエの集まりそうな場所に、天井などから複数本、吊り下げて、そのリボンにとまったハエを粘着剤に粘着させて捕獲するようにしている。
【０００４】
【発明が解決しようとする課題】
しかしながら、従来の害虫防除器具は、捕獲したハエがリボンに何時までも粘着したままになっており、使用者や傍の者が不快感を感じるという課題を有していた。
【０００５】
さらに、従来の害虫防除器具は、前記リボンを螺旋状に上手く引き出すことができず、リボンどうしが接着してしまったりして、引き出した状態が短くなって接着面積が小さくなり、捕獲効率が悪くなるという課題を有していた。
【０００６】
また、従来の害虫防除器具は、天井などから吊り下げた複数本のリボンどうしが、風に煽られて引っ付いてしまい、前記と同様に接着面積が小さくなり、捕獲効率が悪くなるという課題を有していた。
【０００７】
しかも、従来の害虫防除器具は、ハエなどの害虫を粘着捕獲して防除するという使用しかできず、多目的に使用できないという課題を有していた。
【０００８】
そこで、この発明は、上記従来の課題を解決するものであり、使用者や傍の者が不快感を感じることがなく、さらに捕獲効率が悪くなることもなく、しかも害虫を粘着捕獲して防除する使用以外にも、多目的に使用できる害虫防除器具を提供することを目的としてなされたものである。
【０００９】
【課題を解決するための手段】
そのため、この発明の害虫防除器具は、基体１の開孔２から、薬剤を付着させた帯状体３を支持部材４に支持すると共に、順次繰り出し、繰り入れ自在に設けたものとしている。
【００１０】
そして、この発明の害虫防除器具では、前記薬剤を、害虫捕獲用粘着剤、殺虫剤、忌避剤、昆虫成長抑制剤、吸血阻害剤、殺卵剤、フィトンチッドとすることができる。
【００１１】
さらに、この発明の害虫防除器具は、前記帯状体３が、ロール状に巻かれたものとしている。
【００１２】
また、この発明の害虫防除器具は、前記帯状体３を、繰り出した状態で加熱するようにしたものとしている。
【００１３】
さらにまた、この発明の害虫防除器具は、前記帯状体３を、繰り出した状態で風を当てるようにしたものとしている。
【００１４】
【発明の実施の形態】
以下、この発明の害虫防除器具を実施の形態に基づいて詳細に説明する。
【００１５】
図１〜３に示したこの発明の害虫防除器具は、横長の直方体形の箱状とした基体１の上面１ａ中央に横長の開孔２を設け、この開孔２から薬剤を付着させた複数の帯状体３を、支持部材４に支持して、順次繰り出し、繰り入れ自在に設けたものとしている。
【００１６】
基体１は、合成樹脂板、金属板、木板などからなり、図に示したものでは直方体形としているが、立方体形、角柱形、円柱形、円錐形、球形などの各種の形態にすることができる。前記基体１内には、開孔２から上端が突出するように前記支持部材４を設けたものとし、その支持部材４を挟むようにして、一対の支軸５を長さ方向に平行に配置している。そして、支軸５の両端は、基体１外に突出させており、その突出端の少なくとも一方にこの支軸５を回転させるための摘み６を取り付けたものとしている。前記支軸５は、摘み６によって手動で回転させてもよいが、バネやモータによって自動的に回転駆動させるものとしてもよく、またタイマーを併用して、その回転駆動時間を調整するものとしてもよい。なお、前記支軸５は、摘み６を着脱自在にするなどして、基体１から取り外せるようにすることもできる。
【００１７】
開孔２は、帯状体３を繰り出し、繰り入れできる程度の大きさを有しておればよいが、必要に応じて、捕獲された害虫がこの帯状体３に粘着した状態で通過できる程度の大きさを有したものとすることができる。前記開孔２は、図に示したものでは、基体１の長さ方向に横長のものを上面１ａの中央に一条、形成したものとしているが、基体１の幅方向に縦長のものを上面１ａに一定間隔をおいて複数本形成したものとしてもよい。なお、開孔２を複数本形成した場合には、前記基体１内には、それぞれの開孔２から上端が突出するように前記支持部材４を設けたものとし、それぞれの支持部材４を挟むようにして、一対の支軸５を幅方向に平行にそれぞれ配置したものとすればよい。
【００１８】
帯状体３は、図に示したものではロール状に巻かれたものとしているが、順次繰り出し、繰り入れ自在にしたものであれば、ロール状に巻かれたものに限定されることはない。前記帯状体３は、巻き始め端側を前記一対の支軸５のうちの一方に止着し、中間部を前記支持部材４に支持し、巻き終り端側を前記一対の支軸５のうちのもう一方に止着したものとして、この巻き終り端側を止着した支軸５を回転させて、この支軸５に帯状体３を巻き始め端側から繰り出しながら巻いて行けるようにしている。なお、前記帯状体３は、支軸５に着脱自在としたものとし、基体１の底面に取替え口（図示せず）を形成するなどして、この取替え口から取替え自在にしたものとしてもよい。また、前記帯状体３は、支軸５を基体１に着脱自在としている場合には、支軸５に着脱自在としたものとしなくても、この支軸５ごと取替えることができるものとなる。
【００１９】
支持部材４は、図１〜３に示したような板状体としたり、図４に示したような枠状体として、開孔２から上端が突出するように基体１内に設けたものとしている。前記支持部材４は、板状体とした場合には、複数の板状体の上端にそれぞれ支持部４ａを設けたものとしており、枠状体とした場合には、上枠の複数個所に支持部４ａを設けたものとしている。なお、前記支持部材４は、開孔２から上端が突出するように基体１内に設けられておればよく、図示したような垂直方向ではなく、斜め上方向に傾斜させた状態にしてもよい。また、前記支持部材４は、その形態、大きさ、幅、数などは制限されることなく、必要に応じて、着脱自在、伸縮自在、折り畳み自在などとすることもできる。
【００２０】
薬剤としては、前記帯状体３に付着できるものであればよく、害虫捕獲用粘着剤、殺虫剤、忌避剤、昆虫成長抑制剤、吸血阻害剤、殺卵剤、フィトンチッドなどとすることができ、これらの一種以上を併用することができる。そして、薬剤を蒸散性薬剤とした場合には、この薬剤の蒸散性を促進させるために、前記帯状体３を繰り出した状態で加熱するようにして、前記薬剤を加熱蒸散させたり、前記帯状体３を繰り出した状態で風を当てるようにして、前記薬剤を効果的に蒸散させることができる。なお、この発明において、帯状体３に付着できるものとは、塗布、含浸、噴霧などのあらゆる方法により、帯状体３に保持できるものであればよい。
【００２１】
帯状体３を繰り出した状態で加熱するには、例えば図５、６に示したように、前記支持部材４に支持された帯状体３の少なくとも一部を、適当な加熱手段７によって加熱すればよい。
【００２２】
すなわち、基体１を四方から取り囲むようにした包囲体１１の上面１１ａに形成した通気孔１２に、支持部材４に支持された帯状体３の上端部を近づけ、この帯状体３の上端部を、通気孔１２の下方に配置された適宜加熱手段７により加熱するようにしている。
【００２３】
加熱手段７としては、正特性サーミスター、ニクロム線ヒータ、面状ヒータなどを適当な形状にして使用することができる。
【００２４】
帯状体３を繰り出した状態で風を当てるようにするには、例えば図８に示したように、前記支持部材４に支持された帯状体３の少なくとも一部に、適当な送風機８によって風を当てればよい。
【００２５】
すなわち、基体１を四方から取り囲むようにした包囲体１１の一側面１１ｂに形成した通気孔１３に面するように、支持部材４に支持された帯状体３を配置し、さらにこの帯状体３に前記通気孔１３の反対側から面するように、包囲体１１の他側面１１ｃに取り付けられた送風機８を配置したものとし、さらにこの送風機８の上方の包囲体１１の上面１１ａに通気孔１２を設けたものとしている。
【００２６】
送風機８としては、図示した例ではシロッコファンとしているが、軸流ファンなど、その他の送風機を使用することができるのはいうまでもない。
【００２７】
なお、基体１を包囲体１１で四方から取り囲むようにした場合には、前記支持部材４は、基体１内に設けたものとしなくても、前記図６、７に示したように包囲体１１の通孔１２を形成した上面１１ａに設けたものとしてもよい。
【００２８】
以上のように構成したこの発明の害虫防除器具は、次のようにして使用することができる。
【００２９】
先ず、図１〜４に示したこの発明の害虫防除器具において、薬剤として害虫捕獲用粘着剤としたものでは、例えば台所などハエの集まりそうな場所に、そのまま設置しておけば、帯状体３にハエがとまったときに粘着捕獲することができ、害虫防除効果が発揮される。そして、帯状体３が粘着捕獲したハエで適当にまたは一杯に被われた状態になれば、摘み６を捻って、巻き終り端側を止着した支軸５を回転させて、この支軸５に帯状体３を巻き始め端側から繰り出しながら巻いて行けば、支持部材４に支持された帯状体３を新しくすることができるので、粘着捕獲能が維持される。また、粘着捕獲されたハエは、帯状体３に粘着したまま巻き取られ、基体１内に入り遮蔽されるので、使用者や傍の者が不快感を感じることがない。
【００３０】
次に、図５〜７に示したこの発明の害虫防除器具において、薬剤として加熱蒸散性の殺虫剤としたものでは、例えば居間など蚊の集まりそうな場所に、そのまま設置しておけば、帯状体３から蒸散される殺虫剤によって蚊を死滅させることができ、害虫防除効果が発揮される。そして、一定の時間が経過すると、摘み６を捻って、巻き終り端側を止着した支軸５を回転させて、この支軸５に帯状体３を巻き始め端側から繰り出しながら巻いて行けば、支持部材４に支持された帯状体３を新しくすることができるので、殺虫剤の蒸散能が維持される。
【００３１】
また、図８に示したこの発明の害虫防除器具において、薬剤として風を当てると蒸散性を発揮する殺虫剤としたものでも、前記図５〜７に示した害虫防除器具と同様に害虫防除効果が発揮される。そして、一定の時間が経過すると、前記図５〜７に示した害虫防除器具と同様にすれば、殺虫剤の蒸散能が維持される。
【００３２】
さらに、図に示していないが、この発明の害虫防除器具において、薬剤として忌避剤、昆虫成長抑制剤、吸血阻害、殺卵剤、フィトンチッドなどとすることにより、これらの薬剤の効能を発揮することができるものとなる。
【００３３】
【発明の効果】
この発明の害虫防除器具は、以上に述べたように構成されているので、使用者や傍の者が不快感を感じることがなく、さらに捕獲効率が悪くなることもなく、しかも害虫を粘着捕獲して防除する使用以外にも、多目的に使用できるものとなった。
【図面の簡単な説明】
【図１】この発明の害虫防除器具の一実施形態を示す斜視図である。
【図２】図１に示すこの発明の害虫防除器具の縦断面図である。
【図３】図２中のＡ−Ａ線によるこの発明の害虫防除器具の断面図である。
【図４】この発明の害虫防除器具の他の実施形態を示す斜視図である。
【図５】この発明の害虫防除器具のさらに他の実施形態を示す断面図である。
【図６】この発明の害虫防除器具のさらに他の実施形態を示す断面図である。
【図７】図６に示すこの発明の害虫防除器具の包囲体に設けた支持部材の部分斜視図である。
【図８】この発明の害虫防除器具のさらに他の実施形態を示す断面図である。
【符号の説明】
１　基体
２　開孔
３　帯状体
４　支持部材
【図１】
2004065140.tif 000003
【図２】
2004065140.tif 000004
【図３】
2004065140.tif 000005
【図４】
2004065140.tif 000006
【図５】
2004065140.tif 000007
【図６】
2004065140.tif 000008
【図７】
2004065140.tif 000009
【図８】
2004065140.tif 000010